(57)【要約】【課題】基材の表面に、板状部を有する部品を該板状部において緩むことなく確実に結合させることができる部品の結合構造を提供すること。【解決手段】基材１０の表面に、板状部２０を有する部品を固定する部品の結合構造であって、前記基材１０の表面に内部が拡大形成された穴１１を形成するとともに、前記板状部２０に孔２１を穿設し、該板状部の孔に鍔つきピン３０の軸部３２を挿通させ、その軸部を基材の穴に圧入させて軸部を側方に膨出変形させることによって互いに結合させることを特徴とする。【選択図】図２
0003170200.tif 000002
【実用新案登録請求の範囲】
【請求項１】
基材の表面に、板状部を有する部品を固定する部品の結合構造であって、
前記基材の表面に内部が拡大形成された穴を形成するとともに、前記板状部に孔を穿設し、該板状部の孔に鍔つきピンの軸部を挿通させ、その軸部を基材の穴に圧入させて軸部を側方に膨出変形させることによって互いに結合させることを特徴とする、部品の結合構造。
【請求項２】
前記鍔つきピンの軸部の先端面に、その軸芯を通るスリットを形成したことを特徴とする、請求項１に記載の部品の結合構造。
【請求項３】
前記鍔つきピンの軸部の先端面に、その軸芯に沿って穴を形成したことを特徴とする、請求項１に記載の部品の結合構造。
【請求項４】
前記基材の穴の底面中央に、尖端を有する突起を立設したことを特徴とする、請求項１〜３のいずれかに記載の部品の結合構造。
【考案の詳細な説明】
【技術分野】
【０００１】
本考案は、部品の結合構造に関するもので、更に詳しくは、基材の表面に、板状部を有する部品を緩むことなく結合する部品の結合構造に関するものである。
【背景技術】
【０００２】
例えば、基材である部品に立設させたボス等の柱状体の端面に、板状部品を結合させる場合には、柱状体の端面に雌ねじ穴を形成するとともに、結合させる板状部品に孔を穿設し、該板状部品の孔にボルトを挿通して、先端部を柱状体の雌ねじ穴に螺合させることによって、板状部品を基材である柱状体に締結している。
【考案の概要】
【考案が解決しようとする課題】
【０００３】
ところで、部品に振動が長期に亘って加わると、ボルトが緩み部品の締結が緩んだり、離脱する虞がある。このようなことを防止するために、スプリングワッシャをボルトと板状部品間に介在させるが、必ずしも十分とはいえない。
【０００４】
本考案は、このような事情に鑑みて、基材の表面に、板状部を有する部品を該板状部において緩むことなく確実に結合させることができる部品の結合構造を提供することを目的とする。
【課題を解決するための手段】
【０００５】
上記した目的を達成するため、請求項１の部品の結合構造は、基材の表面に、板状部を有する部品を固定する部品の結合構造であって、前記基材の表面に内部が拡大形成された穴を形成するとともに、前記板状部に孔を穿設し、該板状部の孔に鍔つきピンの軸部を挿通させ、その軸部を基材の穴に圧入させて軸部を側方に膨出変形させることによって互いに結合させることを特徴とする。
【０００６】
また、請求項２の部品の結合構造は、上記請求項１に記載の考案において、上記鍔つきピンの軸部先端面に、その軸芯を通るスリットを形成したことを特徴とする。
【０００７】
また、請求項３の部品の結合構造は、上記請求項１に記載の考案において、上記鍔つきピンの軸部先端面に、その軸芯に沿って穴を形成したことを特徴とする。
【０００８】
また、請求項４の部品の結合構造は、上記請求項１〜３のいずれかに記載の考案において、上記柱状体の穴の底面中央に、尖端を有する突起を立設したことを特徴とする。
【考案の効果】
【０００９】
上記した請求項１の部品の結合構造によれば、ボルト止めではなく、部品の板状部を基材にカシメ止めによって結合させるため、結合が緩む虞がない。また、カシメ止めはピンを基材に形成した穴に打込むだけで行なえるので作業も容易である。
【００１０】
また、上記した請求項２または３の部品の結合構造によれば、ピンの軸部の側方への変形が容易になされる。
【００１１】
更に、上記した請求項４の部品の結合構造によれば、基材の穴に形成された突起の尖端がピンのスリットまたは穴に挿入し、楔の作用を果たすため、ピンの先端の軸部が側方へ容易に変形され、しかも、均一に変形される。
【図面の簡単な説明】
【００１２】
【図１】本考案に係る部品の結合構造の基材の穴の加工例を示した模式図である。
【図２】本考案に係る部品の結合構造の結合手順を示した断面図である。
【考案を実施するための形態】
【００１３】
以下、本考案に係る部品の結合構造を、図面に示した一実施の形態に基づいて詳細に説明する。
【００１４】
図面に示した部品の結合構造は、基材である部品の柱状体１０と、その柱状体１０の先端面１０ａに結合される他方の部品である板状体２０と、それらを結合するピン３０とを備えている。
【００１５】
柱状体１０は、該柱状体が複合旋盤等のチャックに装着され、ボールエンドミル１が軸芯に対して角度α（１０°＜α＜３０°）をもって配置され、柱状体１０およびボールエンドミル１をそれぞれ回転させることによって、柱状体１０の先端面１０ａの中心に穴１１が形成される。このようにして形成される穴１１は、図１に示すように、内周面１１ａが側方に膨大し、軸芯に尖端を有する突起１１ｂが形成される。
【００１６】
一方、図２（ａ）に示すように、板状体２０には、孔２１が形成される。また、ピン３０は、柱状体１０および板状体２０よりは柔らかい材料、例えばアルミニウム，その合金等によって形成され、一端に鍔３１を有し、軸部３２の端面中心に穴３３が形成されている。
【００１７】
そして、この部品の結合構造では、図２（ｂ）に示すように、柱状体１０の穴１１に、孔２１を合致させて板状体２０を重ね合わせ、それらの孔２１，穴１１にピン３０の軸部３２を挿入させる。すると、ピン３０の穴３３は、柱状体１０の突起１１ｂに嵌合する。
【００１８】
そして、ピン３０を柱状体１０の穴１１内に圧入すると、図２（ｃ）に示すように、ピン３０の軸部３２は、柱状体１０の穴１１の形状に倣って変形される。その際、柱状体１０の突起１１ｂは、ピン３０の軸部３２の先端部を楔作用によって側方に拡開させる。
【００１９】
この結合構造では、ピン３０の軸部３２の先端部が柱状体１０の穴１１内で拡大して柱状体１０から抜け出ることなく確実に固定される。したがって、板状体２０が、ピン３０の鍔３１と柱状体１０の端面との間に挟持され、緩むことなく確実に柱状体１０に結合される。
【００２０】
以上、本考案に係る部品の結合構造の実施の形態を説明したが、本考案は、係る実施の形態に限定されるものではなく、本考案の技術的思想の範囲内において、種々の変形および変更が可能であることは当然である。
【００２１】
例えば、上記実施の形態では、ピン３０の軸部の先端に穴３３を形成しているが、穴３３に代えてスリットであってもよく、また、穴とスリットの両者を形成してもよい。
【００２２】
また、本考案の部品の結合構造では、柱状体１０および板状体２０をそれぞれ部品の一部として説明したが、部品そのものであってもよい。
【００２３】
更に言えば、本考案の部品の結合構造では、基材として柱状体１０を説明したが、基材としては、肉厚の板状体、ブロック体、中空体などであってもよい。
【符号の説明】
【００２４】
１      ボールエンドミル
１０    柱状体
１１    穴
１１ａ  内周面
１１ｂ  突起
２０    板状体
２１    孔
３０    ピン
３１    鍔
３２    軸部
３３    穴
【図１】
0003170200.tif 000003
【図２】
0003170200.tif 000004